(57)【要約】  スピーカの取付の作業性を向上させることができる計器を提供する。  本体と、本体から外側へ張り出した複数の鍔３４を有するスピーカ８と、スピーカ８を収容する凹部４０を有するケースと、を備える。凹部４０は、側壁４１と、スピーカ８が設置される設置面４２と、側壁４１から内側へ張り出し設置面４２に直交する直交方向に鍔３４を固定する複数の固定部４３と、を有する。スピーカ８は、鍔３４と固定部４３とが直交方向において重なり合わない非固定位置に配置された後、鍔３４と固定部４３とが直交方向において重なり合う固定位置まで直交方向の回転軸周りに回転可能である。
2019022184.tif 000002
【特許請求の範囲】
【請求項１】
本体と、前記本体から外側へ張り出した複数の鍔を有するスピーカと、
前記スピーカを収容する凹部を有するケースと、を備え、
前記凹部は、側壁と、前記スピーカが設置される設置面と、前記側壁から内側へ張り出し前記設置面に直交する直交方向に前記鍔を固定する複数の固定部と、を有し、
前記スピーカは、前記鍔と前記固定部とが前記直交方向において重なり合わない非固定位置に配置された後、前記鍔と前記固定部とが前記直交方向において重なり合う固定位置まで前記直交方向の回転軸周りに回転可能であることを特徴とする計器。
【請求項２】
前記複数の固定部のうちの１つは、前記鍔と前記固定部とをネジ止めするためのネジ穴を有するネジ止め用固定部であることを特徴とする請求項１記載の計器。
【請求項３】
前記ネジ止め用固定部は、他の前記固定部よりも前記側壁から内側へ大きく張り出しており、
前記回転軸は、前記スピーカが回転する際、前記スピーカが前記ネジ止め用固定部側に寄るように前記スピーカの中心に対して偏心していることを特徴とする請求項２記載の計器。
【請求項４】
前記設置面は、前記スピーカを前記鍔と前記固定部とを接触させる方向に押す弾性体を有することを特徴とする請求項１から３のいずれか１項記載の計器。
【請求項５】
前記固定部は、前記鍔と対向する面に突起を有し、
前記鍔は、前記スピーカが前記固定位置にある場合、前記突起と嵌まり合う孔を有することを特徴とする請求項１から４のいずれか１項記載の計器。
【発明の詳細な説明】
【技術分野】
【０００１】
本発明は、計器に関し、特にスピーカの取付に関する。
【背景技術】
【０００２】
計器の一例である車両用計器は、各種の車両情報を聴覚的に報知するスピーカを有している。車両情報は、例えば、シートベルトが未装着であることを示す警告情報や、ウインカーの動作に関する情報である。スピーカは、これらの情報を効果音や音声によって報知する。【０００３】
スピーカは、例えば車両用計器の背面側に、ケースに対してネジ止めにより固定されている。具体的には、スピーカは、例えば鍔と、この鍔に設けられた複数（例えば２個）の貫通孔とを有し、ケースに設けられたこれらの貫通孔に対応するネジ穴に対してネジ止めされることにより、ケースに固定される。
【先行技術文献】
【特許文献】
【０００４】
【特許文献１】実開昭５８−８６６９８号公報
【発明の概要】
【発明が解決しようとする課題】
【０００５】
上述したとおり、スピーカをネジ止めによりケースに固定する場合、複数個のネジを締める作業が必要であった。また、ネジが必要なため、部品点数も増加していた。このため、スピーカの取付作業は、煩雑であり、作業性を低下させていた。【０００６】
本発明はこのような事情を考慮してなされたもので、スピーカの取付時の作業性を向上させることができる計器を提供することを目的とする。
【課題を解決するための手段】
【０００７】
本発明に係る計器は、上述した課題を解決するために、本体と、前記本体から外側へ張り出した複数の鍔を有するスピーカと、前記スピーカを収容する凹部を有するケースと、を備え、前記凹部は、側壁と、前記スピーカが設置される設置面と、前記側壁から内側へ張り出し前記設置面に直交する直交方向に前記鍔を固定する複数の固定部と、を有し、前記スピーカは、前記鍔と前記固定部とが前記直交方向において重なり合わない非固定位置に配置された後、前記鍔と前記固定部とが前記直交方向において重なり合う固定位置まで前記直交方向の回転軸周りに回転可能であることを特徴とする。
【発明の効果】
【０００８】
本発明に係る計器においては、スピーカの取付時の作業性を向上させることができる。
【図面の簡単な説明】
【０００９】
【図１】本実施形態における車両用計器の正面図。
【図２】図１のII−II線に沿う断面図。
【図３】凹部を特に示す外ケースの前面からみた斜視図。
【図４】凹部を特に示す外ケースの背面からみた斜視図。
【図５】スピーカの正面図。
【図６】（Ａ）はスピーカが非固定位置にある場合の説明図、（Ｂ）はスピーカが固定位置にある場合の説明図。
【発明を実施するための形態】
【００１０】
本発明に係る計器を添付図面に基づいて説明する。本発明に係る計器は、例えば自動車やオートバイなどの車両や、船舶、農業機械に搭載される。本実施形態においては、本発明に係る計器が自動車に搭載される車両用計器１である例を用いて説明する。
【００１１】
図１は、本実施形態における車両用計器１の正面図である。
図２は、図１のII−II線に沿う断面図である。
【００１２】
以下の説明において、「前面側」は図１における手前側を意味し、「背面側」は図１における奥側を意味する。
【００１３】
車両用計器１（計器１）は、指針式計器２と、液晶表示装置４と、を有している。
【００１４】
指針式計器２は、例えば速度計であり、指針１１と、文字板１２と、を有している。指針１１は、指針軸を回転中心軸として回転する。文字板１２は、例えば一枚の薄板であり、指針１１の背面側に設けられる。文字板１２（図２においては省略）は、指針１１によって指示される指標１６を有する。指標１６は、目盛、文字、記号などである。
【００１５】
液晶表示装置４は、例えば一対のガラス基板間に液晶分子を封入した液晶表示素子であり、例えばＴＦＴ（Thin Film Transistor）型の液晶表示パネルである。液晶表示装置４は、例えば、走行距離、燃料消費、時刻などの所定の情報を表示する。
【００１６】
計器１は、回路基板５と、中ケース６と、外ケース７と、スピーカ（発音体）８と、見返し板９と、透視パネル１０と、をさらに有している。
【００１７】
回路基板５は、例えばガラスエポキシ系材料からなる硬質の基板である。回路基板５は、フレキシブルプリント基板を介して液晶表示装置４のガラス基板の各電極端子と電気的に接続されており、液晶表示装置４を制御する制御部を有している。また、制御部は、スピーカ８の出力を制御する。回路基板５は、指標１６を透過照明したり、液晶表示素子などを透過照明したりするための光源を有している。
【００１８】
中ケース６は、例えば白色の合成樹脂からなり、回路基板５の前面側に設けられている。中ケース６は、文字板１２や液晶表示装置４を保持している。
【００１９】
外ケース（ケース）７は、例えば黒色の合成樹脂からなり、液晶表示装置４や回路基板５を収容する。外ケース７は、裏カバーとしても機能する。また、外ケース７は、背面７ａにスピーカ８を収容する凹部４０を有している。
【００２０】
スピーカ８は、各種の車両情報を聴覚的に報知する。車両情報は、例えば、シートベルトが未装着であることを示す警告情報や、ウインカーの動作に関する情報である。スピーカ８は、これらの情報を効果音や音声によって報知する。
【００２１】
見返し板９は、指針式計器２の表示領域を規定（露出）する開口窓９ａと、液晶表示装置４の表示領域を規定（露出）する開口窓９ｂと、を有している。透視パネル１０は、透明または半透明の合成樹脂からなり、見返し板９の前方を覆う。透視パネル１０は、フックなどにより見返し板９に固定されている。
【００２２】
次に、上述したスピーカ８及び外ケース７の凹部４０について、詳細に説明する。
【００２３】
図３は、凹部４０を特に示す外ケース７の前面からみた斜視図である。
【００２４】
図４は、凹部４０を特に示す外ケース７の背面からみた斜視図である。
【００２５】
図５は、スピーカ８の正面図である。
【００２６】
スピーカ８は、本体３１（図２）と、スピーカケース３２と、を有している。本体３１は、一部に外周方向に突出した突起領域３１ａを有するほぼ正円柱形である。スピーカケース３２は、本体３１を覆う。スピーカケース３２は、鍔３４を有している。鍔３４は、スピーカケース３２（本体３１）の外周から外側へ放射状に張り出している。鍔３４は、３箇所に設けられている。なお、鍔３４の個数はこれに限らない。鍔３４は、孔３５を有している。孔３５は、後述する固定部４３の突起５０と嵌まり合う。なお、スピーカケース３２は、設置時における背面３２ａ（図２）側に、本体３１から出力された効果音や音声を放音する放音孔（図示せず）を有している。
【００２７】
凹部４０は、側壁４１と、設置面４２と、固定部４３と、を有している。側壁４１は、凹部４０の深さ方向の壁である。設置面４２は、スピーカ８が設置される面であり、側壁４１と直交している。設置面４２は、開口４５と、弾性体である板バネ４６とを有している。開口４５は、設置面４２のほぼ中央に、スピーカケース３２の放音孔に対応する位置に設けられている。開口４５は、放音孔から放音された音を、外ケース７の背面側から放音する。板バネ４６は、鍔３４と固定部４３とを接触させる方向にスピーカ８を押す。板バネ４６は、設置面４２が隆起することにより３箇所に設けられている。なお、板バネ４６の個数はこれに限らない。また、板バネ４６は、設置面４２とは別部材の弾性体であってもよい。
【００２８】
固定部４３は、側壁４１から内側へ、設置面４２と並行して張り出し、設置面４２に直交する直交方向（図２のＺ方向）に鍔３４を固定する。固定部４３は、鍔３４の位置（鍔３４間の間隔）に対応した箇所に、対応した個数設けられる。本実施形態においては、固定部４３は３箇所に設けられている。複数の固定部４３のうちの１つは、ネジ止め用固定部４３ａである。ネジ止め用固定部４３ａは、鍔３４と固定部４３とを外ケース７の背面側からネジ止めするためのネジ穴４８を有している。このため、ネジ止め用固定部４３ａは他の固定部４３とは異なり筒状であり、他の固定部４３よりも側壁４１から内側へ大きく張り出している。すなわち、ネジ止め用固定部４３ａは、ネジ穴４８を有しているため、他の固定部４３よりも占有面積が大きくなる。他の固定部４３は、鍔３４と対向する面４９に突起５０を有している。突起５０は、鍔３４の孔３５と嵌まり合う。
【００２９】
次に、凹部４０に対するスピーカ８の取付について説明する。
【００３０】
図６（Ａ）はスピーカ８が非固定位置にある場合の説明図であり、（Ｂ）はスピーカ８が固定位置にある場合の説明図である。
【００３１】
まず、スピーカ８は、凹部４０に配置される。このとき、図６（Ａ）に示すように、スピーカ８は、鍔３４と固定部４３とがＺ方向において重なり合わない非固定位置に配置される。スピーカケース３２と、固定部４３及び凹部４０の外形は、非固定位置に配置された場合に、互いに接触しない形状を有している。特に、ネジ止め用固定部４３ａは他の固定部４３よりも張り出し量が大きく、通常であればスピーカ８が接触してしまう。しかし、スピーカ８の円柱の中心軸８ａは、非固定位置に配置される際には、固定位置に配置される場合よりもネジ止め用固定部４３ａから離れて配置される。このため、図６（Ａ）に示すように、ネジ止め用固定部４３ａ近傍の側壁４１とスピーカ８との間には、隙間６０ａが形成される。
【００３２】
次に、図６（Ｂ）に示すように、スピーカ８は、鍔３４と固定部４３とがＺ方向において重なり合う固定位置まで回転される。スピーカ８は、Ｚ方向の回転軸を中心に時計回りに所定量回転する。回転軸はスピーカ８の中心軸８ａに対して偏心している。このため、スピーカ８が回転する際、スピーカ８（中心軸８ａ）がネジ止め用固定部４３ａ側に寄る（移動する）。これにより、非固定位置に配置される際に形成された隙間６０ａがなくなる。一方、図６（Ｂ）に示すように、側壁４１とスピーカ８との間には、スピーカ８の移動分だけ隙間６０ｂが形成される。スピーカ８が所定量回転すると、鍔３４が側壁４１の回転止め部４１ａに当たり、スピーカ８は時計回りの回転を制限される。また、鍔３４の孔３５が固定部４３の突起５０と嵌まり合うため、スピーカ８は回転を制限される。孔３５と突起５０との嵌まり合いは、作業者に対して嵌まり合う際の感覚や音を介して固定位置まで回転したことを知らせることができる。鍔３４はＺ方向において固定部４３と重なり合っているため、スピーカ８は、Ｚ方向、すなわちスピーカ８を凹部４０から取り外す方向の動きを制限される。その後、ネジ止め用固定部４３ａと対応する鍔３４ａとは、ネジ止めされる。
【００３３】
これにより、スピーカ８は、固定部４３と板バネ４６とに挟まれることにより凹部４０に固定される。このとき、板バネ４６は、鍔３４を固定部４３に接触させるようにＺ方向にスピーカ８を押している。このため、鍔３４は、固定部４３と確実に接触し、振動に伴う鍔３４と固定部４３との接触音を発生させることがない。
【００３４】
このような本実施形態における計器１は、スピーカ８の取付時の作業性を向上させることができる。すなわち、計器１は、固定部４３及び鍔３４を有することにより、スピーカ８を凹部４０に配置した後、回転することにより、外ケース７にスピーカ８を固定することができる。このため、計器１は、スピーカ８を少ない部品点数で容易に固定することができる。
【００３５】
また、一対のネジ止め用固定部４３ａと鍔３４ａとをネジ止めしたことにより、スピーカ８をより確実に外ケース７に固定することができる。
【００３６】
さらに、計器１は、板バネ４６と、突起５０及び孔３５と、を有することにより、スピーカ８を外ケース７にさらに確実に固定する。このため、スピーカ８は凹部４０内でがたつくことがなく、スピーカ８の固定に対する信頼性を高めることができる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３８】
例えば、ネジ止め用固定部４３ａと鍔３４ａとをネジ止めしたが、ネジ止めは省略してもよい。また、スピーカケース３２の孔３５及び固定部４３の突起５０は、必要に応じて省略してもよい。さらには、板バネ４６も必要に応じて省略してもよい。
【符号の説明】
【００３９】
１  車両用計器（計器）
２  指針式計器
４  液晶表示装置
５  回路基板
６  中ケース
７  外ケース
７ａ  背面
８  スピーカ
８ａ  中心軸
９  見返し板
９ａ、９ｂ  開口窓
１０  透視パネル
１１  指針
１２  文字板
１６  指標
３１  本体
３１ａ  突起領域
３２  スピーカケース
３２ａ  背面
３４、３４ａ  鍔
３５  孔
４０  凹部
４１  側壁
４１ａ  回転止め部
４２  設置面
４３  固定部
４３ａ  ネジ止め用固定部
４５  開口
４６  板バネ
４８  ネジ穴
４９  面
５０  突起
６０ａ、６０ｂ  隙間
【図１】
2019022184.tif 000003
【図２】
2019022184.tif 000004
【図３】
2019022184.tif 000005
【図４】
2019022184.tif 000006
【図５】
2019022184.tif 000007
【図６】
2019022184.tif 000008
【国際調査報告】
2019022184.tif 000009
2019022184.tif 000010
2019022184.tif 000011
2019022184.tif 000012